(57)【特許請求の範囲】
【請求項１】
太陽電池と、
前記太陽電池の表側に配置され、耐熱温度が６０℃以下である熱可塑性樹脂で形成され、表側に艶消し層が一体に形成され、多層積層により干渉反射を生じさせることにより金属様光沢をもつ光透過性反射板と、
前記光透過性反射板の表側に配置され、前記光透過性反射板とは別体である光透過性基板と、
を備える太陽電池付き時計。
【請求項２】
前記艶消し層は、光透過性媒質に拡散剤を混合した材料で形成され、前記拡散剤の前記光透過性媒質に対する重量比は、８％以上である
請求項１に記載の太陽電池付き時計。
【請求項３】
前記光透過性反射板と前記艶消し層との間に、光透過性有色層をさらに備える
請求項１又は２に記載の太陽電池付き時計。
【請求項４】
前記太陽電池と、前記光透過性反射板とは、互いに押圧された状態で固定される
請求項１乃至３のいずれか一項に記載の太陽電池付き時計。
【請求項５】
太陽電池と、前記太陽電池の表側に重ねて配置され、耐熱温度が６０℃以下である熱可塑性樹脂で形成される光透過性反射板とを備える文字板において、
前記太陽電池の表側の面に形成された突起によって、前記光透過性反射板に形成される変形痕を隠す方法であって、
表側に艶消し層を一体に形成し、多層積層により干渉反射を生じさせることにより金属様光沢をもつ前記光透過性反射板を配置し、
前記光透過性反射板の表側に、前記光透過性反射板とは別体である光透過性基板を重ねて配置する、
変形痕を隠す方法。
【発明の詳細な説明】
【技術分野】
【０００１】
本発明は太陽電池付き時計、及び変形痕を隠す方法に関する。
【背景技術】
【０００２】
太陽電池付き時計の文字板は、太陽電池の発電に必要な光を透過させるため光透過性の材質で形成される。また、文字板に金属様の光沢を持たせて美観を向上させるために、文字板の材質及び構造として、光を透過し、かつ、光を反射するものを採用する場合がある。
【０００３】
下記特許文献１には、第１の透過性反射板の視認側の表面に凹凸状の模様を形成し、第２の透過性反射板のソーラーセルと対向する表面に拡散層を設けた表示板が記載されている。
【先行技術文献】
【特許文献】
【０００４】
【特許文献１】特開２０１０−２７６４５６号公報
【発明の概要】
【発明が解決しようとする課題】
【０００５】
上記特許文献１に記載の表示板では、透過性反射板の表裏いずれかに拡散層を設けることで、ソーラーセルの発電に必要な光を透過しつつ、ソーラーセルを視認できなくして、高級感のある表示板を得ている。しかしながら、ソーラーセル付時計用文字板はデザインの多様化が求められ、さまざまな反射率の半透過反射板を用いる必要があるが、ソーラーセル付時計用文字板に適した厚さの半透過反射板は選択肢が限られる。そして、この条件に適した光透過性反射板が熱成形可能な材料で形成されたものである場合、比較的高温の環境下で太陽電池付き時計を使用すると光透過性反射板が軟化する場合がある。光透過性反射板が軟化すると、太陽電池の表面形状が光透過性反射板に転写され、光透過性反射板が変形して変形痕が形成され、文字板の美観を損なう場合がある。
【０００６】
本発明の目的は、光透過性反射板を備える太陽電池付き時計において、文字板の美観を保つことである。
【課題を解決するための手段】
【０００７】
上記課題を解決すべく本出願において開示される発明は種々の側面を有しており、それら側面の代表的なものの概要は以下の通りである。
【０００８】
（１）太陽電池と、前記太陽電池の表側に配置され、耐熱温度が６０℃以下である熱可塑性樹脂で形成され、表側に艶消し層が一体に形成され、多層積層により干渉反射を生じさせることにより金属様光沢をもつ光透過性反射板と、前記光透過性反射板の表側に配置され、前記光透過性反射板とは別体である光透過性基板と、を備える太陽電池付き時計。
【０００９】
（２）（１）において、前記艶消し層は、光透過性媒質に拡散剤を混合した材料で形成され、前記拡散剤の前記光透過性媒質に対する重量比は、８％以上である太陽電池付き時計。
【００１０】
（３）（１）又は（２）において、前記光透過性反射板と前記艶消し層との間に、光透過性有色層をさらに備える太陽電池付き時計。
【００１１】
（４）（１）乃至（３）のいずれか一項において、前記太陽電池と、前記光透過性反射板とは、互いに押圧された状態で固定される太陽電池付き時計。
【００１２】
（５）太陽電池と、前記太陽電池の表側に重ねて配置され、耐熱温度が６０℃以下である熱可塑性樹脂で形成される光透過性反射板とを備える文字板において、前記太陽電池の表側の面に形成された突起によって、前記光透過性反射板に形成される変形痕を隠す方法であって、表側に艶消し層を一体に形成し、多層積層により干渉反射を生じさせることにより金属様光沢をもつ前記光透過性反射板を配置し、前記光透過性反射板の表側に、前記光透過性反射板とは別体である光透過性基板を重ねて配置する、変形痕を隠す方法。
【発明の効果】
【００１３】
上記本発明の（１）の側面によれば、腕時計で要求される耐熱温度のような比較的低い温度で熱成形可能で熱により変形しやすい光透過性反射板に変形痕が形成される場合であっても、文字板の美観が保たれる太陽電池付き時計が得られる。
【００１４】
また、上記本発明の（２）の側面によれば、光透過性反射板に視認され得る大きさの点状変形痕が形成される場合であっても、変形痕が視認しづらい太陽電池付き時計が得られる。
【００１５】
また、上記本発明の（３）の側面によれば、光透過性反射板の点状変形痕がさらに視認しづらい太陽電池付き時計が得られる。
【００１６】
また、上記本発明の（４）の側面によれば、太陽電池と光透過性基板とを確実に固定することができるとともに、高温の環境に置かれたとしても、点状変形痕が視認されづらい太陽電池付き時計が得られる。
【００１７】
また、上記本発明の（５）の側面によれば、腕時計で要求される耐熱温度のような比較的低い温度で熱成形可能で熱により変形しやすい光透過性反射板に変形痕が形成される場合であっても、文字板の美観が保たれるように変形痕を隠す方法が得られる。
【図面の簡単な説明】
【００１８】
【図１】本発明の実施形態に係る太陽電池付き時計を示す平面図である。
【図２】太陽電池付き時計の断面図である。
【図３】太陽電池付き時計の断面の拡大図である。
【図４】艶消し層による光の反射を説明する図である。
【図５】比較例における光の反射を説明する図である。
【図６】変形例に係る太陽電池付き時計の断面の拡大図である。
【図７】太陽電池を収めた中枠を示す平面図である。
【図８】中枠に嵌合された光透過性反射板を示す平面図である。
【発明を実施するための形態】
【００１９】
以下、本発明の実施の形態について、図面を参照しながら説明する。
【００２０】
図１は、本発明の実施形態に係る太陽電池付き腕時計１を示す平面図である。図１には、ベゼル２ａ、見返しリング２ｂ、文字板３、時字５、日窓６、指針７、竜頭８が示されている。また、図２は、図１のＩＩ−ＩＩ線における太陽電池付き時計１の断面図である。図２には、ベゼル２ａ、見返しリング２ｂ、時字５、風防９、胴１０、裏蓋１１、ムーブメント１２、光透過性基板２０及び光透過性反射板２１から構成される文字板３、太陽電池３０が示されている。
【００２１】
なお、図１に示した太陽電池付き時計１のデザインは一例にすぎない。ここで示したもの以外にも、例えば、文字板３及び太陽電池付き時計１の外形形状を、丸型でなく角型にしてもよいし、見返しリング２ｂに秒を表示するインデックスを付けてもよい。また、見返しリング２ｂは無くてもよい。本実施形態では、指針７を時針、分針の２本としているが、秒針を加えることとしてもよく、日窓６には日付を表示することとするが、それに限らず、曜日を表示することとしてもよい。また、タイムゾーンやサマータイムの有無、電池の残量、各種の表示を行う補助指針を備えることとしてもよい。その場合、ベゼル２ａの外側に、竜頭８の他にボタンを備えることとして、ユーザが種々の操作を行えるようにしてもよい。
【００２２】
太陽電池付き時計１には、文字板３を覆うように、ガラス等の透明材料により形成された風防９がベゼル２ａに取り付けられている。また、胴１０、ベゼル２ａ、見返しリング２ｂ、及び風防９が一体となった外装部品には、文字板３、太陽電池３０、及びムーブメント１２が収容されており、裏側は裏蓋１１によって閉じられている。本明細書では、太陽電池付き時計１の風防９が配置される側（図２における紙面上側）を表側、裏蓋１１が配置される側（図２における紙面下側）を裏側、及び、表側及び裏側に対応した面を、それぞれ、表側の面及び裏側の面と呼ぶこととする。
【００２３】
文字板３の裏側には、太陽電池３０が配置され、表側から入射した光により発電がなされる。そのため、文字板３を構成する光透過性基板２０及び光透過性反射板２１は、ある程度光を透過する材質で形成される。また、光透過性反射板２１は、熱可塑性樹脂で形成され、光の反射率が３０％〜７０％と比較的高く、好ましくは金属様光沢を持つ。このような特性を持つ材質であれば、光透過性反射板２１を形成する材質としてどのようなものを用いてもよいが、好適な例として、ＰＥＴ（polyethylene terephthalate）の多層積層により干渉反射を生じさせるフィルムを挙げることができる。このような光透過性反射板２１は、裏側に配置された太陽電池３０に光を透過させつつ、金属に似た光沢により文字板３の美観を向上させる。このような光透過性反射板２１は、その材質上、あるいは構造上、耐熱温度が比較的低い場合があり、例えば、光透過性反射板２１として東レ株式会社製のピカサス（登録商標）を使用した場合、その耐熱温度は６０℃である。なお、光透過性反射板２１の耐熱温度は、材料特性として示されることがある他、熱間プレスの適用可能温度の下限値として示される場合もある。
【００２４】
図３は、本実施形態に係る太陽電池付き時計１の断面の拡大図であり、図２に示す拡大領域５０を拡大したものである。時字５が表側の面に配置された光透過性基板２０は、裏側の面が平滑面である。光透過性基板２０の裏側には、光透過性反射板２１が配置される。光透過性反射板２１の表側には、艶消し層２２が形成される。本実施形態において、艶消し層２２は、光透過性媒質である透明なインキ中に光を乱反射する拡散剤を混合した材料で構成され、光透過性反射板２１の表側の面に印刷される。本実施形態において、透明インキと拡散剤との重量比は１０％である。もっとも、透明インキと拡散剤との重量比は１０％以下でもよい。ただし、後述するように、光透過性反射板２１に形成される変形痕を視認しづらくするためには、透明インキと拡散剤との重量比は８％以上であることが望ましい。光透過性反射板２１の裏側には、太陽電池３０が配置される。なお、光透過性基板２０の表側の面又は裏側の面を凹凸面として、同心円模様や放射線状の模様等を形成することとしてもよい。
【００２５】
本実施形態に係る太陽電池付き時計１において、光透過性基板２０の厚さは４００μｍ〜５００μｍであり、光透過性反射板２１の厚さは１００μｍである。過去に製造した時計に、この厚さの光透過性反射板２１を標準的に用いていれば、同じ厚さのものを選択することにより、文字板３以外の部材の設計変更が不要となり、メリットが大きい。例えば、１００μｍの厚さで、反射率の種類が選択できる光透過性反射板２１としては、前述のピカサス（登録商標）が適している。但し、文字板３を構成する光透過性反射板２１の最適な厚さは１００μｍに限らず、過去に製造した時計に１００μｍ以外の厚さの光透過性反射板２１が標準的に用いている場合は、その厚さが最適である。
【００２６】
太陽電池３０は、表面に微小な凹凸を有する場合がある。例えば、アモルファスシリコン太陽電池の場合、プラズマＣＶＤ（Chemical Vapor Deposition）によりアモルファスシリコンの薄膜を形成するか、又はＩＴＯ（Indium Tin Oxide）等の透明電極を形成すると、表面に直径数百μｍのスパッタ痕が形成される場合がある。太陽電池３０の表面にスパッタ痕があると、太陽電池付き時計１の耐熱温度付近か、又はそれを上回る程度の高温、例えば自動車のダッシュボード中等、に置かれたとき、軟化した光透過性反射板２１に太陽電池３０のスパッタ痕が転写される場合がある。光透過性反射板２１にスパッタ痕が転写されると、太陽電池付き時計１を再び冷却しても、転写されたスパッタ痕と同程度の大きさの点状変形痕が光透過性反射板２１に残留して、文字板３の美観を損なう場合がある。なお、光透過性反射板２１に残留する変形痕の形状は、太陽電池３０のスパッタ痕の形状に応じて変化し、必ずしも点状とは限らず、線状等の場合もあり得る。
【００２７】
図４は、艶消し層２２による光の反射を説明する図である。太陽電池３０のスパッタ痕が転写された光透過性反射板２１は、表側の面に点状変形痕２１ａが凸状に浮き出て形成される場合がある。光透過性反射板２１の表側の面に艶消し層２２を有していない場合、点状変形痕２１ａが形成されると、点状変形痕２１ａ部分とその他の部分で光透過性反射板２１における入射光の反射の仕方が異なることとなり、点状変形痕２１ａが視認されることとなる。本実施形態に係る太陽電池付き時計１は、光透過性反射板２１の表側の面に艶消し層２２を有し、光透過性反射板２１に点状変形痕２１ａが形成されたとしても、艶消し層２２により光が拡散されるため点状変形痕が視認されづらくなり、文字板３の美観が保たれる。艶消し層２２は、光透過性媒質に対する拡散剤２２ａの重量比が１０％であり、視認できるスパッタ痕（直径が１００μｍ前後よりも大きいスパッタ痕）により形成された光透過性反射板２１の点状変形痕を視認しづらくするのに十分な光拡散効果がある。
【００２８】
図４では、点状変形痕２１ａ部分に入射する第１の入射光６０と、点状変形痕２１ａが形成されていない部分に入射する第２の入射光６１とについて、それぞれ反射光を示している。第１の入射光６０は、艶消し層２２に含まれる拡散剤２２ａにより反射・拡散され、第１の反射光６０ａと、第２の反射光６０ｂとが生じる。また、第２の入射光６１についても、艶消し層２２に含まれる拡散剤２２ａにより反射・拡散され、第３の反射光６１ａと、第４の反射光６１ｂとが生じる。第１〜４の反射光は、点状変形痕２１ａの表面付近と他の部分の表面付近において、拡散剤２２ａによってそれぞれ同じ条件の下で拡散が生じるものであるから、文字板３を観察する者は、第１〜４の反射光のいずれが点状変形痕２１ａ部分から反射された光であるか判別することができず、従って、点状変形痕２１ａが視認されづらくなる。
【００２９】
視認され得る点状変形痕２１ａの直径は、１００μｍ程度である。直径が１００μｍ前後か、これよりも小さい点状変形痕２１ａは、そもそも肉眼で視認することが困難である。そして、本発明の発明者の実験により、直径が１００μｍよりも大きい点状変形痕は、光透過性媒質に対する拡散剤２２ａの重量比が６％のときには視認され、光透過性媒質に対する拡散剤２２ａの重量比が８％のときにはほぼ視認されず、光透過性媒質に対する拡散剤２２ａの重量比が１０％のときには視認されない、という結果が得られた。この実験結果により、本発明の発明者が見出したところによれば、直径が１００μｍよりも大きいスパッタ痕により形成された光透過性反射板２１の点状変形痕２１ａを視認しづらくするには、艶消し層２２を構成する光透過性媒質に対する拡散剤２２ａの重量比は８％以上であればよい。従って、本実施形態に係る太陽電池付き時計１では、光透過性反射板２１に形成される点状変形痕２１ａがその大きさによらず視認されづらく、文字板３の美観が保たれることとなる。
【００３０】
図５は、比較例における光の反射を説明する図である。比較例では、艶消し層２２が光透過性基板２０の裏側の面に形成されている。比較例に係る太陽電池付き時計のその他の構成については、本実施形態に係る太陽電池付き時計１と変わらないものとする。図５では、点状変形痕２１ａ部分に入射する第１の入射光６０と、点状変形痕２１ａが形成されていない部分に入射する第２の入射光６１とについて、それぞれ反射光を示している。
【００３１】
第１の入射光６０は、艶消し層２２に含まれる拡散剤２２ａにより反射・拡散され、第５の反射光６０ｃと、第６の反射光６０ｄとが生じる。また、第２の入射光６１についても、艶消し層２２に含まれる拡散剤２２ａにより反射・拡散され、第７の反射光６１ｃと、第８の反射光６１ｄとが生じる。ここで、第６の反射光６０ｄと第８の反射光６１ｄのように、点状変形痕２１ａ部分に入射する光と、点状変形痕２１ａが形成されていない部分に入射する光とが、同じ条件で反射される場合もある。しかし、第５の反射光６０ｃと第７の反射光６１ｃとは、それぞれ異なる条件で反射されて視認されることとなる。第５の反射光６０ｃは、艶消し層２２の裏側に形成された点状変形痕２１ａの表面で反射される。一方、第７の反射光６１ｃは、点状変形痕２１ａが形成されていない光透過性反射板２１の表面で反射される。そのため、第５の反射光６０ｃと第７の反射光６１ｃとでは、反射面の条件、光の光路長、空気中を通る光路の長さ等が異なることとなる。そのため、点状変形痕２１ａ部分とその他の部分で、入射光の反射の仕方が異なることとなる。点状変形痕２１ａ部分で反射した光は、点状変形痕２１ａの各部の形状に応じた方向に反射し、その反射光は点状変形痕２１ａの形状を反映したものとなる。そして、点状変形痕２１ａの形状を反映した光は、再び艶消し層２２内を通過する際、艶消し層２２の拡散効果が大きくなければ、点状変形痕２１ａの形状を反映した状態が軽減されるだけで、この状態が維持されて点状変形痕２１の形状として視認されることとなる。もっとも、拡散剤２２ａの重量比を非常に大きくすれば、比較例の場合であっても、点状変形痕２１ａを視認しづらくすることはできる。しかし、拡散剤２２ａの重量比を非常に大きくした場合は、艶消し層２２の過度の曇りにより、光透過性反射板２１の金属感を損ねたり、太陽電池３０の発電量が低下して十分な発電量が得られなくなったりする。本実施形態のように、艶消し層２２を光透過性反射板２１の表側の面に形成すれば、拡散剤２２ａの重量比が比較的少ない場合であっても、点状変形痕２１ａを視認しづらくすることができる。そのため、本実施形態に係る太陽電池付き時計１によれば、光透過性反射板２１の光沢を艶消し層２２により過度に曇らせることなく、また、艶消し層２２の過度の曇りによる太陽電池３０の発電量の低下を防いで、点状変形痕２１ａを視認しづらくすることができる。
【００３２】
また、当然ではあるが、艶消し層２２を光透過性反射板２１の裏側の面に形成しても、点状変形痕２１ａを視認されづらくする効果は得られない。これは、艶消し層２２は、その裏側に配置されたものについては、艶消し層２２を介して視認することで、視認されづらくなるのに対し、その表側に配置されたものについては、艶消し層２２を介さずに視認することとなるためである。従って、艶消し層２２は、本実施形態のように、光透過性反射板２１の表側の面に形成する必要がある。
【００３３】
なお、光透過性基板２０の表側の面又は裏側の面を凹凸面として模様を形成する場合、艶消し層２２により光が拡散されることに加えて、光透過性基板２０に形成された模様により、さらに光透過性反射板２１の点状変形痕が視認されづらくなる。
【００３４】
図６は、本実施形態の変形例に係る太陽電池付き時計１の断面の拡大図である。変形例に係る太陽電池付き時計１と、図３に示す太陽電池付き時計との違いは、光透過性反射板２１と艶消し層２２との間に、文字板３を加飾するための光透過性有色層２３をさらに備える点である。変形例に係る太陽電池付き時計１では、光透過性反射板２１の表側に形成された艶消し層２２で光が拡散されることに加え、光透過性反射板２１と艶消し層２２との間に形成された光透過性有色層２３により特定の波長の光の透過が妨げられ、光透過性反射板２１の点状変形痕がさらに視認しづらくなる。
【００３５】
なお、光透過性有色層２３は、光透過性基板２０の裏側の面に形成してもよい。すなわち、光透過性反射板２１の表側に形成された艶消し層２２と、光透過性基板２０の裏側に形成された光透過性有色層２３とが、接するようにしてもよい。その場合であっても、文字板３が加飾されるだけではなく、艶消し層２２で光が拡散され、光透過性有色層２３により特定の波長の光の透過が妨げられ、光透過性反射板２１の点状変形痕が視認しづらくなる。
【００３６】
また、光透過性有色層２３は、光透過性基板２０の表側に形成してもよい。その場合であっても、文字板３が加飾されるだけではなく、艶消し層２２で光が拡散され、光透過性有色層２３により特定の波長の光の透過が妨げられ、光透過性反射板２１の点状変形痕が視認しづらくなる。また、光透過性基板２０の表側に光透過性有色層２３を形成しつつ、光透過性基板２０の裏側に凹凸面を形成して、同心円模様や放射線状の模様等を形成することとしてもよい。光透過性基板２０の裏側に模様を形成する場合、光透過性反射板２１に形成された点状変形痕と模様とが重なることで、点状変形痕がさらに視認しづらくなる。当然ながら、上記の構成を組み合わせた構成を採用することとしてもよい。
【００３７】
なお、艶消し層２２は、拡散剤により光を拡散する他、表面の凹凸により光を拡散する場合もある。艶消し層２２の表側の面に加飾のための光透過性有色層２３等を印刷すると、艶消し層２２の表面に形成された凹凸が埋められて平滑になり、光を拡散する効果が弱まる場合があり、光透過性反射板２１に形成された点状変形痕が視認されやすくなる場合がある。これが文字板３の外観や透過率に悪影響を及ぼす場合には、光透過性有色層２３は、光透過性基板２０の表側もしくは裏側、又は光透過性反射板２１と艶消し層２２との間に形成すると良い。
【００３８】
図７は、太陽電池３０を収めた中枠４０を示す平面図である。中枠４０は、内部にムーブメント１２等を収めるケースである。太陽電池３０は、ムーブメント１２の表側に重ねて配置される。太陽電池３０は、太陽電池３０の周縁に形成された切り欠きと、中枠４０の周縁に形成された切り欠きと、を合わせるように配置することで位置合わせされて配置される。中枠４０は、第１嵌合部４１と第２嵌合部４２とを有する。第１嵌合部４１及び第２嵌合部４２は、太陽電池３０の表側に重ねて配置される光透過性反射板２１の位置合わせ及び光透過性基板２０の嵌合のための部材である。
【００３９】
図８は、中枠４０に配置された光透過性反射板２１を示す平面図である。光透過性反射板２１は、中枠４０の有する第１嵌合部４１及び第２嵌合部４２で位置合わせされる。光透過性基板２０が第１嵌合部４１及び第２嵌合部４２に嵌合により固定されることで、光透過性反射板２１は、中枠４０から脱落することなく保持される。このとき、光透過性反射板２１と太陽電池３０とは、互いに接触し、互いに押圧された状態で固定される。このことが、太陽電池３０のスパッタ痕が光透過性反射板２１に転写される要因の１つである。なお、図７、図８に示した太陽電池３０及び光透過性反射板２１の固定構造は一例である。このような構造に限らず、文字板３を構成する部材が動かないようにするためには、光透過性反射板２１を太陽電池３０に対して押圧した状態で固定することが必要である。
【００４０】
太陽電池３０のスパッタ痕が光透過性反射板２１に転写されているか否かは、以下の方法で判別することができる。はじめに、スパッタ痕を有する場合がある太陽電池３０を用意する。太陽電池付き時計が製品として使用される条件を再現するため、太陽電池３０は、中枠４０に配置した状態で用意することが望ましい。
【００４１】
次に、太陽電池３０の表側に、光透過性反射板２１と光透過性基板２０を配置する。太陽電池３０を中枠４０に配置する場合、光透過性反射板２１は、中枠４０の有する第１嵌合部４１及び第２嵌合部４２に嵌合し、光透過性基板２０は、これらの嵌合部に嵌合させて固定することが望ましい。
【００４２】
その後、太陽電池３０、光透過性反射板２１、及び光透過性基板２０を、太陽電池付き時計１について要求される耐熱温度である所定の温度、例えば６０℃、に加熱する。加熱により光透過性反射板２１が軟化する場合、太陽電池３０の有するスパッタ痕が光透過性反射板２１に転写されることがある。
【００４３】
最後に、光透過性反射板２１の表側の面、内部、裏側の面を観察する。それにより、光透過性反射板２１に、点状変形痕等の変形痕が形成されているか否かを検査する。
【００４４】
光透過性反射板２１に点状変形痕等の変形痕が観察される場合であっても、以下の方法で変形痕が視認されづらい太陽電池付き時計を設計することができる。はじめに、光透過性反射板２１において観察された変形痕のうち、視認され得るものの大きさを測定する。
【００４５】
次に、視認され得る変形痕の大きさの測定結果に基づいて、光透過性反射板２１の表側に形成する艶消し層について、拡散剤の光透過性媒質に対する重量比を設定する。拡散剤の光透過性媒質に対する重量比の下限値は、すべての大きさの変形痕が視認されづらくなるように定められる。拡散剤の光透過性媒質に対する重量比は、その下限値を上回るようにしつつ、文字板３として所望の光沢感が得られるように調整することで定められてよい。
【００４６】
本実施形態に係る太陽電池付き時計１では、太陽電池３０の表側の面に形成されたスパッタ痕等である突起により、光透過性反射板２１に点状変形痕等の変形痕が形成される場合がある。その場合であっても、表側に艶消し層２２を形成した光透過性反射板２１を、光透過性基板２０の裏側に重ねて配置し、一体に固定する方法を文字板３に適用することによって、変形痕を隠すことができる。光透過性反射板２１の表側に形成された艶消し層２２によって、いずれの場所に入射する光も同じ条件で反射されることとなるため、光透過性反射板２１に形成された変形痕が視認されづらくなる。光透過性基板２０は、光透過性反射板２１を押さえ付けて固定される。そのため、光透過性反射板２１に形成される変形痕によって光透過性基板２０に同様な変形痕が形成されないように、光透過性基板２０の材質として、少なくとも６０℃では変形しない材質を用いる必要がある。ここで、光透過性反射板２１は、６０℃以下で変形する材質を用いて形成されてよいため、換言すると、光透過性基板２０は、光透過性反射板２１よりも耐熱温度が高い材質を用いて形成される。
【符号の説明】
【００４７】
１  太陽電池付き時計、２ａ  ベゼル、２ｂ  見返しリング、３  文字板、５  時字、６  日窓、７  指針、８  竜頭、９  風防、１０  胴、１１  裏蓋、１２  ムーブメント、２０  光透過性基板、２１  光透過性反射板、２１ａ  点状変形痕、２２  艶消し層、２２ａ  拡散剤、２３  光透過性有色層、３０  太陽電池、４０  中枠、４１  第１嵌合部、４２  第２嵌合部、５０  拡大領域、６０  第１の入射光、６０ａ  第１の反射光、６０ｂ  第２の反射光、６０ｃ  第５の反射光、６０ｄ  第６の反射光、６１  第２の入射光、６１ａ  第３の反射光、６１ｂ  第４の反射光、６１ｃ  第７の反射光、６１ｄ  第８の反射光。
【図１】
0006445307.tif 000002
【図２】
0006445307.tif 000003
【図３】
0006445307.tif 000004
【図４】
0006445307.tif 000005
【図５】
0006445307.tif 000006
【図６】
0006445307.tif 000007
【図７】
0006445307.tif 000008
【図８】
0006445307.tif 000009